(57)【特許請求の範囲】
【請求項１】
入力信号から複数の帯域周波数信号を抽出し、抵抗とコンデンサを有するフィルタ回路を備え、前記フィルタ回路で抽出された帯域周波数信号を表示回路に表示させる入力フィルタ内蔵型の表示装置において、
前記フィルタ回路を動作させるための電源投入時、前記帯域周波数信号毎に、前記コンデンサの充電電荷を予め定めた回数の放電動作により放電させ、すべての帯域周波数について前記予め定めた回数だけ前記放電動作を実行後に、前記表示回路への表示を開始させ、前記フィルタ回路は、該フィルタ回路への電源投入時においてミュートされた状態で入力されるように構成することを特徴とする入力フィルタ内蔵型の表示装置。
【請求項２】
入力信号から複数の帯域周波数信号を抽出し、抵抗とコンデンサを有するフィルタ回路を備え、前記フィルタ回路で抽出された帯域周波数信号を表示回路に表示させる入力フィルタ内蔵型の表示装置において、
前記フィルタ回路を動作させるための電源投入時、前記帯域周波数信号毎に、前記コンデンサの充電電荷を予め定めた回数の放電動作により放電させ、すべての帯域周波数について前記予め定めた回数だけ前記放電動作を実行後に、前記表示回路への表示を開始させ、前記フィルタ回路のための動作電源が供給開始されたときに、前記フィルタ回路の出力を、前記表示回路に前記所定周期より短い周期で繰り返し供給するように構成することを特徴とする入力フィルタ内蔵型の表示装置。
【請求項３】
前記フィルタ回路は、音声信号が入力されるように構成することを特徴とする請求項１または２に記載の入力フィルタ内蔵型の表示装置。
【請求項４】
前記フィルタ回路は、ラジオ放送等の受信電波信号が入力されるように構成することを特徴とする請求項１または２に記載の入力フィルタ内蔵型の表示装置。
【発明の詳細な説明】
【０００１】
【発明の属する技術分野】
本発明は、入力信号のレベル表示、スペクトル表示等々の表示をフィルタ回路を介した出力で行い得る「入力フィルタ内蔵型の表示装置」に関する。
【０００２】
【従来の技術】
一般に、入力信号のレベルを数字表示もしくは棒グラフ等のグラフィック表示する場合、例えば音声信号をスペクトルアナライザ表示する場合には、音声信号を、可聴周波数帯域を複数の周波数帯域に分割したバンドパスフィルタ回路に入力し、その音声信号の周波数帯域毎にピークレベルを検出し、その検出出力を表示回路に入力することによってスペクトル表示を行うことができる。
【０００３】
この場合、バンドパスフィルタ回路の出力は、フィルタ通過信号をコンデンサチャージ電圧の状態で出力し得るように構成され、このバンドパスフィルタ回路への入力は、ミュート回路を介して行われ、電源投入時には当該回路がミュート動作することによって音声信号がカットされる。また、複数の周波数帯域のそれぞれからの出力は、出力させたい周波数帯域を選択し、マイクロコンピュータに取り込まれ、表示用のデータに変換されて表示回路に出力される。
【０００４】
また、音声信号をスペクトルアナライザ表示する場合のみならず、音声信号の音量レベルを表示させたり、ラジオ放送等の受信電波信号の受信レベルやスペクトルアナライザ表示を行う場合も前述同様にして、フィルタ回路の出力信号が、コンデンサチャージ電圧の状態で表示回路に出力されるようになっている。
【０００５】
【発明が解決しようとする課題】
従来の入力フィルタ内蔵型の表示装置は、電源投入時において、表示回路への入力信号がミュート回路等によってカットされているにも係わらず、フィルタ回路のカットオフ周波数を決定する抵抗とコンデンサの時定数を設定するＲＣ回路が特定周波数に設定されているので、当該のコンデンサに既にチャージされている電荷が表示回路に出力されてしまう。
【０００６】
よって、このままの状態で表示回路による表示をさせると、本来は入力信号がミュート回路等によってカットされているために無信号状態でありながら既にチャージされている電荷が表示回路に出力されてしまうので誤った表示が過渡的に行われてしまい、表示にちらつきが発生してしまう。
【０００７】
また、音声信号をスペクトルアナライザ表示する場合のみならず、音声信号の音量レベルを表示させたり、ラジオ放送等の受信電波信号の受信レベルやスペクトルアナライザ表示を行う場合も電源投入時に表示にちらつきが発生してしまう。
【０００８】
そこで、本発明の目的は、電源投入時において、表示に過渡的なちらつき等のノイズ成分を発生させたり、誤った表示を行うことのない入力フィルタ内蔵型の表示装置を提供することにある。
【０００９】
【課題を解決するための手段】
前記目的を達成するために、本発明による入力フィルタ内蔵型の表示装置は、次に記載するような特徴的な構成を採用している。
【００１０】
（１）入力信号から複数の帯域周波数信号を抽出し、抵抗とコンデンサを有するフィルタ回路を備え、前記フィルタ回路で抽出された帯域周波数信号を表示回路に表示させる入力フィルタ内蔵型の表示装置において、
前記フィルタ回路を動作させるための電源投入時、前記帯域周波数信号毎に、前記コンデンサの充電電荷を予め定めた回数の放電動作により放電させ、すべての帯域周波数について前記予め定めた回数だけ前記放電動作を実行後に、前記表示回路への表示を開始させ、前記フィルタ回路は、該フィルタ回路への電源投入時においてミュートされた状態で入力されるように構成する入力フィルタ内蔵型の表示装置。
【００１１】
（２）入力信号から複数の帯域周波数信号を抽出し、抵抗とコンデンサを有するフィルタ回路を備え、前記フィルタ回路で抽出された帯域周波数信号を表示回路に表示させる入力フィルタ内蔵型の表示装置において、
前記フィルタ回路を動作させるための電源投入時、前記帯域周波数信号毎に、前記コンデンサの充電電荷を予め定めた回数の放電動作により放電させ、すべての帯域周波数について前記予め定めた回数だけ前記放電動作を実行後に、前記表示回路への表示を開始させ、前記フィルタ回路のための動作電源が供給開始されたときに、前記フィルタ回路の出力を、前記表示回路に前記所定周期より短い周期で繰り返し供給するように構成する入力フィルタ内蔵型の表示装置。
【００１２】
（３）前記フィルタ回路は、音声信号が入力されるように構成する上記（１）または（２）の入力フィルタ内蔵型の表示装置。
【００１３】
（４）前記フィルタ回路は、ラジオ放送等の受信電波信号が入力されるように構成する上記（１）または（２）の入力フィルタ内蔵型の表示装置。
【００１６】
【発明の実施の形態】
以下、本発明の実施の形態について図面を用いて詳細に説明する。本形態は、ＣＤ再生機能とラジオ放送受信機能とを有する車載型音響機器に設けられたスペクトルアナライザ表示装置に本発明による入力フィルタ内蔵型の表示装置を適用したもので、先ずその回路構成について図１を用いて説明する。
【００１７】
図１において、車載型音響機器の筺体の正面に設けられた本体パネル１の上辺部には、音楽等のデータが記録されたＣＤをローディングしたりアンローディングするための開口１ａが設けられ、その下位に大面積の表示器２が設けられている。この表示器２は、車載型音響機器の有する多種多様な機能表示を行うことができると共に、再生される音声信号のスペクトルアナライザ表示を複数本の棒グラフ状態で行い得るように構成されている。
【００１８】
表示器２の右方には機器動作のための上下左右方向の操作指令を与えるための４方向スイッチ３が設けられている。また、表示器２の左方には音量の増減等を指令するためのアップスイッチ４とダウンスイッチ５が設けられ、表示器２の下辺部の下位には再生モードの切替やラジオ放送受信形態の切替等々を指令するための複数の設定スイッチ６が設けられている。
【００１９】
車両に設けられているＡＣＣスイッチ（不図示）の動作に連動して出力がオン／オフされる電源７が設けられ、この電源７の出力が不図示の線路を介して回路各部に供給されると共に、当該電源７の状態を示すスタンバイ検出信号ｄがマイコン８に出力される。
【００２０】
マイコン８は、装置全体を複合的に制御するためのＣＰＵ１３が設けられると共に、ＣＰＵ１３によって制御される所定のプログラム実行のために必要な一時的なデータ読み書きを行うＲＡＭ１１と、所定の固定データが格納されたＲＯＭ１２が設けられていて、マイコン８へのデータ入力のインターフェイスを含んで構成される入力ポート１４と、データ出力のインターフェイスを含んで構成される出力ポート１５が設けられている。
【００２１】
ディスク再生部１０は、音楽データが記録されたディスクを再生し、その出力を入力信号ａとしてバンドパスフィルタ９に入力すると共に、当該再生の信号を不図示の再生増幅回路に出力して所定のスピーカ放音ができるように構成されている。
【００２２】
バンドパスフィルタ９は、帯域可変部９ａと制御部９ｂを有し、マイコン８の出力ポート１５から出力される電源信号Ｃ1と周波数選択信号Ｃ2と周波数選択許可信号Ｃ3とが入力される制御部９ｂにより、帯域可変部９ａを作動させて通過帯域を変化させ、バンドパスフィルタ９から出力信号ｂとしてマイコン８の入力ポート１４に出力するものである。
【００２３】
以上のように構成されたスペクトルアナライザ表示装置の動作を電源投入時の動作を主として図２に示すフローチャートを用いて説明する。
【００２４】
先ず、ステップＳ１でＡＣＣスイッチオン中であるか否かが判定される。これは、電源７から出力されるスタンバイ検出信号ｄが入力ポート１４を介してマイコン８に入力されるので、そのＨまたはＬレベルをＣＰＵ１３でもって検出することによって判定される。
【００２５】
ステップＳ１の判定でＮｏの場合（ＡＣＣオフの場合）には、ステップＳ１５に進み、マイコン８から出力される表示信号ｅが出力ポート１５を介して表示器２が制御されて消灯させ、しかる後にステップＳ１６に進んでマイコン８の出力ポート１５を介して電源信号Ｃ1がバンドパスフィルタ９の制御部９ｂに供給されてバンドパスフィルタ９の全体が電源オフ状態にされる。
【００２６】
一方、ステップＳ１でＹｅｓの場合（ＡＣＣオンの場合）には、ステップＳ２に進み、マイコン８の出力ポート１５を介して電源信号Ｃ1がバンドパスフィルタ９の制御部９ｂに供給されてバンドパスフィルタ９の全体が電源オン状態にされ、これと同時的に装置回路全体に電源供給されてステップＳ３に進む。
【００２７】
このステップＳ３は、バンドパスフィルタ９の電源安定がされるまで待つもので、Ｎｏの場合には待機状態にされ、Ｙｅｓになったとき（電源安定された場合）に次のステップＳ４に進んで、スタート周波数設定が実行される。
【００２８】
このスタート周波数設定は、音声帯域をｎ個の通過帯域に分割した選択周波数１，２，３・・・ｎ（図３参照）の最初、即ち選択周波数ｎを出力ポート１５から出力される周波数選択信号Ｃ2をバンドパスフィルタ９の制御部９ｂに出力することによって指定され、周波数選択許可信号Ｃ3（図３に示す選択周波数決定）によってバンドパスフィルタ９の出力信号であるコンデンサの容量が選択周波数決定の間（Ｈレベル期間）だけ放電がなされた後に再び、選択周波数決定がＨレベルとされるので再度の放電がなされる。この回数は２回のみならずこれ以上であってもよく、その繰り返し周期は平生時の周期に比して短くされている（図３参照）。
【００２９】
そして、次のステップＳ５に進んで全ての選択周波数１〜ｎが全て選択されたか否かの判定がなされ、Ｙｅｓの場合（全周波数設定完了の場合）には、ステップＳ６に進んで正規の周波数処理が図３に示す選択周波数決定（平生時）に基づいて実行され、次のステップＳ７で出力信号ｂを入力ポート１４を介して取り込んだデータに基づく表示データがマイコン８全体でもって生成され、出力ポート１５から表示信号ｅとして本体パネル１の表示器２に供給されて正規の表示点灯処理が行われ、一連動作が終了とされる。
【００３０】
一方、ステップＳ５による判断で周波数の選択中である場合（Ｎｏの場合）には、ステップＳ８に進み、選択中の周波数に該当する周波数選択信号Ｃ2をマイコン８の出力ポート１５からバンドパスフィルタ９の制御部９ｂに出力し、次のステップＳ９によって放電カウンタを初期値に設定する。
【００３１】
このとき周波数選択信号Ｃ2は、周波数の選択を有効とするが、実際、この選択の有無を決定する要因は周波数選択許可信号Ｃ3となりＨレベルで許可し、Ｌレベルで不許可となる。また、周波数の選択を終了とした後に一定期間を置かないとバンドパスフィルタ９から出力される出力信号ｂ（コンデンサチャージ成分）を放電できなく、そのための時間を置くための動作ステップがステップＳ９である。尚、この周波数選択信号Ｃ2と周波数選択許可信号Ｃ3を共通としても良い。
【００３２】
そして、ステップＳ９で設定された、バンドパスフィルタ９内部のコンデンサより、チャージ電荷を放電するためのカウンタ状況がステップＳ１０で判断され、１つの周波数に対してコンデンサの放電が終了していない場合、選択中の周波数に該当する周波数選択許可信号Ｃ3がマイコン８の出力ポート１５から出力されることによって帯域可変部９ａの周波数指定がなされ、当該の周波数選択許可信号Ｃ3により該当するコンデンサのチャージ電荷を数ｄＢ程度下げる（ステップＳ１１）。
【００３３】
このとき、周波数選択許可信号Ｃ3の出力後に一定量のウエイト時間が必要であるためにステップＳ１２にてそれを実行し、所定の時間が経過したときにステップＳ１３に進み、周波数選択許可信号Ｃ3によってマイコン８の出力ポート１５で出力をオフし、バンドパスフィルタ９に対して指定を行う。
【００３４】
ここで、１回の周波数選択許可信号Ｃ3の出力では、該当するコンデンサのチャージ電荷を数ｄＢしか放電させることができず、複数回のオンオフを繰り返して放電させるためのカウンタ状況の判断処理をステップＳ１４等で行いステップＳ１０からステップＳ１３を繰り返し、ステップＳ１０にてＮｏの場合（放電カウント中でない場合）には、放電完了とされて次のステップＳ５に進む。
【００３５】
ステップＳ５は、全ての選択周波数１〜ｎが全て選択されたか否かの判定をするもので、Ｙｅｓの場合（全周波数設定完了の場合）には、ステップＳ６に進んで正規の周波数処理が図３に示す選択周波数決定（平生時）に基づいて実行され、次のステップＳ７で出力信号ｂを入力ポート１４を介して取り込んだデータに基づく表示データがマイコン８全体でもって生成され、出力ポート１５から表示信号ｅとして本体パネル１の表示器２に供給されて正規の表示点灯処理が行われ、一連動作が終了とされる。
【００３６】
よって、バンドパスフィルタ９には、刻々と変化する音声信号（入力信号）が前回状態と交わり、誤出力を行わないように周波数が選択許可されると、その選択周波数に該当するコンデンサのチャージ電荷が数ｄＢだけ放電され、新たに入力を行う特性があるので、電源投入時に表示点灯までの間に各周波数を選択し、この動作を繰り返すことによってコンデンサチュージ電荷を徐々に放電させる。なお、このとき、バンドパスフィルタ９に入力される入力信号ａは、ミュート回路等でカットされている。
【００３７】
そこで、周波数選択される毎にチャージ電荷が数ｄＢ下がることを利用し、これを繰り返し行うことによってチャージ電荷をなくすことができ、このようにしてチャージ電荷をなくした後に本来の正規の入力信号を入力することにより、所望の表示を行うことができる。
【００３８】
このための回路構成の変更は、マイコン８による従来の制御プログラムを僅かに変更するのみで実現できるので少ないコストで達成することができる。
【００３９】
なお、本発明による入力フィルタ内蔵型の表示装置は、前述の形態のような車載型音響機器のみならず、固定型の音響機器であってもよく、また、バンドパスフィルタ９等の「フィルタ回路」に入力される信号と、表示器２等の「表示回路」への表示は、音声信号をスペクトル表示する場合のみならず、ラジオ放送等の受信電波信号をフィルタ回路に入力してスペクトル表示する場合でもよく、スペクトル表示ではないレベル表示や他の表示であってもよい事は勿論である。
【００４０】
【発明の効果】
以上の説明で明らかなように、本発明による入力フィルタ内蔵型の表示装置は、電源投入時において、表示回路への入力信号がミュート回路等によってカットされているにも係わらず、コンデンサに既にチャージされている電荷が表示回路に出力されてしまうことが防止され、誤った表示が過渡的に行われたり、表示にちらつきが発生してしまうことを防止することができる。
【００４１】
また、音声信号をスペクトルアナライザ表示する場合のみならず、音声信号の音量レベルを表示させたり、ラジオ放送等の受信電波信号の受信レベルやスペクトルアナライザ表示を行う場合においても電源投入時に表示にちらつきが発生したり誤った表示が過渡的に行われることがない。
【００４２】
従って、本発明によれば、電源投入時において、表示に過渡的なちらつき等のノイズ成分を発生させたり、誤った表示を行うことのない入力フィルタ内蔵型の表示装置を提供することができる。
【図面の簡単な説明】
【図１】本発明の実施の形態による入力フィルタ内蔵型の表示装置を車載型音響機器に用いた場合の回路構成を示すブロック回路図である。
【図２】図１に示される車載型音響機器のスペクトルアナライザ表示動作を電源投入時の動作を主として説明するためのフローチャートである。
【図３】図２に示すフローチャートの中の一部の動作説明に用いられる波形図である。
【符号の説明】
１    本体パネル
１ａ  開口
２    表示器
３    ４方向スイッチ
４    アップスイッチ
５    ダウンスイッチ
６    設定スイッチ
７    電源
８    マイコン
９    バンドパスフィルタ
９ａ  帯域可変部
９ｂ  制御部
１０    ディスク再生部
１１    ＲＡＭ
１２    ＲＯＭ
１３    ＣＰＵ
１４    入力ポート
１５    出力ポート
【図１】
0003982609.tif 000002
【図２】
0003982609.tif 000003
【図３】
0003982609.tif 000004